(57)【要約】      （修正有）【課題】室温の温度分布のバラつきを小さくしながら適正な温度帯に維持するとともに、その際の消費電力を少なくする。【解決手段】室内２にエレベーションを変えて配設した複数の温度センサ６〜８と、空調設備４と、ファン５と、温度センサ６〜８の測定値の演算処理結果に基づいて空調設備４及びファン５に制御信号を発信する制御部９とを有し、温度センサ６〜８により検出した測定値の中から所望に選択した２つの測定値の差が第１の設定値を超えた場合に，ファン５に対して作動信号を発信し、第１の設定値よりも小さい場合に，ファン５に対して停止信号を発信するとともに、温度センサ６〜８により検出した測定値の平均値が第２の設定値の範囲を外れた場合は，空調設備４に対して作動信号を発信し、平均値が第２の設定値の範囲内である場合は，空調設備４に対して停止信号を発信する室内温度制御システム１Ａ。【選択図】図１
2012156394.tif 000002
【特許請求の範囲】
【請求項１】
室内にエレベーションを変えて配設される複数の温度センサと、前記室内に暖気又は冷気を送給する空調設備と、前記室内に設けられ，前記室内の空気を撹拌するファンと、前記複数の温度センサと，前記空調設備と，前記ファンに接続されて，前記複数の温度センサの各々から発信される室温データを受信して，必要に応じて演算処理した後，前記空調設備及び前記ファンに対して制御信号を発信する制御部とを有し、
前記制御部は、その内部又は外部に演算処理部を備え、
前記複数の温度センサにより検出された測定値の中から所望に選択される２つの測定値の差が予め所望に設定された第１の設定値を超えた場合に，前記ファンに対して作動信号が発信され、
前記複数の温度センサにより検出された測定値の中から所望に選択される２つの測定値の差が前記第１の設定値以下の場合に，前記ファンに対して停止信号が発信されるとともに，前記演算処理部において，前記複数の温度センサにより検出された測定値の平均値が算出され、
前記平均値が予め所望に設定された第２の設定値の範囲を外れた場合は，前記空調設備に対して作動信号が発信され、前記平均値が前記第２の設定値の範囲内である場合は，前記空調設備に対して停止信号が発信されることを特徴とする室内温度制御システム。
【請求項２】
前記複数の温度センサは、前記室内の同一エレベーションにそれぞれ複数個所配設され、
前記複数の温度センサにより検出された測定値の各々に代えて、前記室内の同一エレベーションに配設された複数のセンサにより検出された測定値の平均値の各々とすることを特徴とする請求項１記載の室内温度制御システム。
【発明の詳細な説明】
【技術分野】
【０００１】
本発明は、室内温度の制御に要する電力を削減するとともに、室内の温度分布を均一な状態に近づけて所望の温度範囲に維持することができる室内温度制御システムに関する。
【背景技術】
【０００２】
従来、火力発電プラントや原子力発電プラントでは、発電設備等の制御機器を建物の室内に収容して一括して管理しており、このような室内においては制御機器のオーバーヒートを防止して円滑に作動させるために室温を一定に範囲内に維持する必要がある。
通常、制御機器は、複雑な電子回路により構成されていて、発熱する場合が多く、このような制御機器を集合させた室内においては放熱による冷却には限度があるため、空調設備を用いて強制的に制御機器を冷却してやる必要があった。
また、室温が過剰に低いことが制御機器が正常に作動しない原因になる場合もあり、この場合は暖房により制御機器を適正な温度に保ってやる必要があった。
通常、空調設備を用いる場合、空調設備から送給される冷気又は暖気による風力のみにより室内空気の撹拌を行っているので、制御機器が林立する室内においては暖気や冷気が室内の隅々にまで行き届かないという不具合があった。他方、このような課題を解決するにあたり、制御機器を設置する室内に、空調設備と別にファン等を設けて、常時、室内空気を撹拌させる方法もあるが、基本的に、空調設備とファンは連動していないため、室内空気を撹拌する必要がない場合にファンを作動させることは電力のロスになってしまい好ましくなかった。
本願発明と同一の技術内容を有する発明は現時点では見つかっていないが、室内に複数の温度センサを設置し、その測定値を利用して室内温度を制御する先行技術としては、下記のようなものが知られている。
【０００３】
特許文献１には「車両用空気調和装置」という名称で、車内の温度を自動的に検知し、その信号によって空気調和器の運転制御を行い、最適な車内温度を維持するようにした車内用空気調和器に関する発明が開示されている。
特許文献１に開示される発明である車両用空気調和装置は、車内の適所に設置されたサーモスタットにより空気調和器の運転制御を行うようにした車両用空気調和装置において、上記空気調和器の近傍に設置され、二重以上の設定値を有するサーモスタッドと、検出端を車内の天井付近および床付近にそれぞれ配設した温度差検出装置を備え、上記温度差検出装置によって天井付近の温度と床付近の温度の差を検出し、その出力信号により上記サーモスタットの異なる設定値のいずれかを選択するようにしたことを特徴とするものである。
上記特許文献１に開示される発明によれば、車両内の天井付近と床付近の温度差から、車両内の乗客の収容状況を判定して車両用空気調和装置の運転モードを切り替えることができる。よって、車両内が定員状態でも満員状態でも乗客に対して快適な室内温度を提供することができる。
【０００４】
特許文献２には「空気調和機の室内機」という名称で冷房または暖房により室内温度を快適な温度に調節する空気調和機の室内機に関する発明が開示されている。
特許文献２に開示される発明である空気調和機の室内機は、室内の複数の場所に設けた温度センサで測定した温度と、設定温度とに応じて、本体から吹出す空気の吹出し方向について垂直方向および水平方向を制御するだけでなく、さらに風量も制御できるよう構成されるものである。
上記構成の特許文献２に開示される発明によれば、室内において温度分布にばらつきがある場合に、そのばらつきを是正するように冷気又は暖気の送給方向および送給量を自動で調整することができ、結果として、室内の温度を均質化することができる。
【先行技術文献】
【特許文献】
【０００５】
【特許文献１】特開昭５１−３１４３２号公報
【特許文献２】特開２００３−７４９４６号公報
【発明の概要】
【発明が解決しようとする課題】
【０００６】
しかしながら、特許文献１に開示される発明によれば、車両内の状況に応じて空調設備のモード切り替えが可能であるものの、車両内において空気を撹拌させるものは、ダクトから送給される風力のみであるため、車両内の温度分布のばらつきを積極的に是正するという技術内容ではなかった。
【０００７】
また、特許文献２に開示される発明においても、室内の空気を強制的に撹拌して温度分布のばらつきを是正するという技術内容ではなかった。
【０００８】
特許文献１，２に開示される発明はともに、人が居住する室内空間に対する空調設備に関する発明である。この場合、室内における強い空気の流れは、室内温度を均一にするために好適である半面、室内にいる人に対して不快感を与える恐れもあった。このため、室内において積極的に送風設備を利用することができないという事情があった。
しかしながら、室内に収容するものが制御機器等の「モノ」であり「人」でない場合には、強い空気の流れにより生じる不快感等は考慮する必要はない。その一方で、このような制御機器等を設置するための室内に用いられる空調設備は、居住空間用の空調設備と兼用されるのが通常であり、この結果、制御機器等を設置する室内の温度調整が効率良くできないという課題があった。
【０００９】
本発明はかかる従来の事情に対処してなされたものでありその目的は、人の居住空間用の空調設備を用いながらも、制御機器等を収容する室内の温度調整を効率的かつ省電力で行うことのできる室内温度制御システムを提供することにある。
【課題を解決するための手段】
【００１０】
上記目的を達成するため請求項１記載の発明である室内温度制御システムは、室内にエレベーションを変えて配設される複数の温度センサと、室内に暖気又は冷気を送給する空調設備と、室内に設けられ，室内の空気を撹拌するファンと、複数の温度センサと，空調設備と，ファンに接続されて，複数の温度センサの各々から発信される室温データを受信して，必要に応じて演算処理した後，空調設備及びファンに対して制御信号を発信する制御部とを有し、制御部は、その内部又は外部に演算処理部を備え、複数の温度センサにより検出された測定値の中から所望に選択される２つの測定値の差が予め所望に設定された第１の設定値を超えた場合に，ファンに対して作動信号が発信され、複数の温度センサにより検出された測定値の中から所望に選択される２つの測定値の差が第１の設定値以下の場合に、ファンに対して停止信号が発信されるとともに、演算処理部において，複数の温度センサにより検出された測定値の平均値が算出され、平均値が予め所望に設定された第２の設定値の範囲を外れた場合は，空調設備に対して作動信号が発信され、平均値が第２の設定値の範囲内である場合は，空調設備に対して停止信号が発信されることを特徴とするものである。
上記構成の発明において、温度センサは室内の様々な高さにおける室温を検出するという作用を有する。また、空調設備は、室内に暖気又は冷気を供給する作用を有する。さらに、ファンは、室内の空気を撹拌して室温を均一化させるという作用を有する。そして、制御部は空調設備及びファンに対して制御信号を発信するという作用を有する。加えて、演算処理部は、複数の温度センサにおいて検出された測定値をそれぞれ組み合わせてそれらの測定値の差を求めるという作用、また、検出された測定値群の平均値を求めるという作用を有する。
そして、複数の温度センサにより検出された測定値の中から所望に選択される２つの測定値の差が予め所望に設定された第１の設定値を超えた場合に，ファンに対して作動信号を発信してファンを作動させることで、室内の温度分布を均一化するという作用を有する。
さらに、複数の温度センサにより検出された測定値の中から所望に選択される２つの測定値の差が予め所望に設定された第１の設定値以下の場合に、ファンに対して停止信号を発信することで、ファンの作動が停止され、ファン駆動用の電力を節約するという作用を有する。また、この時、複数の温度センサにより検出された測定値の平均値が求められて、この平均値が所望に設定された第２の設定値を外れた場合には空調設備に対して作動信号が発信される一方で、平均値が所望に設定された第２の設定値の範囲内である場合には空調設備に対して停止信号が発信されることで、空調設備の利用を最小限度にしながら、室内の温度を予め所望に設定された第２の設定値の範囲内に維持するという作用を有する。
【００１１】
請求項２記載の発明である室内温度制御システムは、請求項１記載の室内温度制御システムであって、複数の温度センサは、室内の同一エレベーションにそれぞれ複数個所配設され、複数の温度センサにより検出された測定値の各々に代えて、室内の同一エレベーションに配設された複数のセンサにより検出された測定値の平均値の各々とすることを特徴とするものである。
上記構成の発明は、請求項１記載の発明と同じ作用に加えて、室内の同一エレベーションの複数個所に複数の温度センサを配設することで、室内における温度分布のバラつきの検出精度を高めるという作用を有する。また、室内における温度分布のバラつきの検出精度が高まることにより、ファン及び空調設備の作動と停止がこまめに切り替えられるので、請求項１に記載の発明の場合よりも、室温の均一性を高めるという作用を有する。
【発明の効果】
【００１２】
本発明の請求項１記載の室内温度制御システムによれば、ファンと空調設備の稼動を最小限度にしながら、室内の温度を予め所望に設定された第２の設定値の範囲内に維持することができる。また、その際の、室内における温度分布における最高温度と最低温度の差を、予め所望に設定された第１の設定値以下にすることができる。
この結果、室内に収容される制御機器を第２の設定値の範囲内に維持することができるので、制御機器を安全に作動させることができる。
また、請求項１記載の発明によればファンと，このファンの作動及び停止の切り替えを行う制御部を備えることで、特に低温時に、室内に収容される制御機器から発せられる熱を利用して室内を加温することもできる。この場合、室内の温度制御に要する電力を節約することができる。
よって、請求項１記載の発明によれば、使用電力量を最少にしながら、制御機器を収容する室内の温度を、均一化するとともに、所望の設定温度の範囲内に維持しておくことができる。
【００１３】
請求項２に記載の発明によれば、制御機器を収容する室内が広くて、各エレベーションに複数個の温度センサを取り付けた場合でも、請求項１記載の発明における演算処理部にかかる負荷を大幅に超えないようにしながら、請求項１記載の発明と同様の効果を発揮させることができる。
【図面の簡単な説明】
【００１４】
【図１】本発明の実施例１に係る室内温度制御システムの概念図である。
【図２】本発明の実施例１に係る室内温度制御システムの制御工程を示すフローチャートである。
【図３】本発明の実施例２に係る室内温度制御システムの概念図である。
【図４】本発明の実施例２に係る室内温度制御システムの制御工程を示すフローチャートである。
【発明を実施するための形態】
【００１５】
本発明の実施の形態に係る室内温度制御システムについて実施例１及び実施例２を参照しながら詳細に説明する。
【実施例１】
【００１６】
本発明の実施例１に係る室内温度制御システムについて図１及び図２を参照しながら詳細に説明する。
図１は本発明の実施例１に係る室内温度制御システムの概念図である。
まず、図１を参照しながら室内温度制御システム１Ａにおける各構成要素の配置について説明する。
図１に示すように、実施例１に係る室内温度制御システム１Ａは、建物の室内２に複数の制御機器３が林立するように配設され、この室内２の、例えば、天井近傍に空調設備４が、また、天井にファン５が設けられ、さらに、室内２の壁面２ａには、床面２ｂからの鉛直方向における高さ（エレベーション）を変えながら複数の（少なくとも２つ以上の）温度センサ６〜８が設けられている。そして、空調設備４，ファン５及び温度センサ６〜８は、いずれも、室内２又は室内２の外に配設される制御部９に有線又は無線で接続されており、温度センサ６〜８から制御部９に対して有線又は無線で伝送される室内２温度の検出値に基づいて、制御部９から空調設備４及びファン５に対してそれぞれ制御信号が有線又は無線で発信されるよう構成されている。また、制御部９の内部又は外部は、演算処理部１０を備えている。
なお、室内２内に収容される制御機器３は、原子力、火力あるいは水力等による発電プラントにおいて、発電に用いる様々な機器を円滑かつ安全に作動させるためのものであり、制御機器３の作動をスムースにするために、室内２において適切に温度管理を行う必要があった。
また、ここでは、１に示すように、温度センサの配置の一例として、室内２の壁面２ａにエレベーションを変えながら３個所に温度センサを配設した場合を例に挙げて説明する。より具体的には実施例１に係る室内温度制御システム１Ａにおいては、室内２の天井近傍に温度センサ６を、床面２ｂ近傍に温度センサ７を、さらに、温度センサ６と温度センサ７の中間位置に温度センサ８を設けている。
【００１７】
次に、図１及び図２を参照しながら、実施例１に係る室内温度制御システム１Ａにより室内２の温度を制御する手順について説明する。
図２は本発明の実施例１に係る室内温度制御システムの制御工程を示すフローチャートである。なお、図１に記載されたものと同一部分については同一符号を付し、その構成についての説明は省略する。
図２に示すように、まず、室内２に配設される温度センサ６〜８によって室温が測定（検出）され（ステップＳ０１）、この検出値が制御部９に送信される。そして、制御部９に接続される演算処理部１０において、温度センサ６〜８による測定値の中から所望に選択される２つの測定値の差が演算処理により求められ、この差が予め所望に設定される第１の設定値と比較されて（ステップ０２）、第１の設定値を超えている場合には、制御部９からファン５に対して作動信号が発信されて、ファン５が駆動される（ステップＳ０３）。他方、演算処理部１０において求められた温度センサ６〜８によるそれぞれの測定値の差が、先の第１の設定値と比較した際にそれ以下の場合には（ステップ０２）、制御部９からファン５に対して停止の信号が発信されて、ファン５が停止される（ステップＳ０４）。
【００１８】
ここで、上記ステップＳ０１〜Ｓ０４について詳細な説明を加える。
室内２に制御機器３が収容される場合、通常、制御機器３は複雑な電子回路から成るので発熱する場合が多く、室内２内において空調設備４が稼動していても可動していなくても、室内２の温度分布はばらついた状態となる。
また、制御機器３の局所において温度の上昇が生じた場合、制御機器３の円滑な作動のためには制御機器３が好適に冷却されることが望ましいが、複数個所において測定された室内２の温度の平均値を基準にして、空調設備４の作動と停止を切り替える場合では、空調設備４を作動させた方が望ましい状況であっても、局所的に温度が高い状態と、局所的に温度が低い場合とが数値上において相殺されて、誤って室内２の温度の平均値が適正な範囲内であると判断されてしまうおそれがある。この場合、空調設備４が作動せず、制御機器３に対する熱負荷が軽減されないという課題があった。
このような事情に鑑み、実施例１に係る室内温度制御システム１Ａでは、室内における温度分布のバラつきを是正するために、ファン５により強制的に室内２の空気を撹拌して、室内２の温度が予め所望に設定される第１の設定値の範囲内になるようにしている。
従って、実施例１に係る室内温度制御システム１Ａでは、室内２に収容される制御機器３の周囲の温度が概念上ではなく、実質的に理想の温度範囲に近づけられるよう構成されている。
【００１９】
より具体的に説明すると、まず、ステップＳ０１において、図２における温度センサ６〜８によりそれぞれ室内２の各エレベーションにおける温度が検出される。
そして、次の、ステップＳ０２では、演算処理部１０において、温度センサ６，７の検出値の差が、温度センサ６，８の検出値の差が、温度センサ７，８の検出値の差（算術差）がそれぞれ求められ、制御部９においてこれら全ての算術差と第１の設定値とが比較され、算術差の少なくとも１つが第１の設定値を超えている場合、室内２の温度分布のバラつきが許容の範囲を超えていると判断され、室内２における室温のバラつきを是正すべく、ステップＳ０３として、制御部９からファン５に対して作動信号が発信されてファン５が作動する。これにより室内２の空気が撹拌されて室内２の温度分布のバラつきが是正される。
他方、先のステップＳ０２において、演算処理部１０で求められた算術差が先の第１の設定値以下の場合は、室内２の温度の温度分布のバラつきは許容範囲内と判断されて、制御部９からファン５に対して停止信号が発信される。つまり、ファン５が作動している場合には停止され、ファン５が停止している場合には、そのまま、停止の状態が維持される。
そして、実施例１では、室内２の温度分布のバラつきがある程度小さくなった状態で初めて、室内２の温度が適正か否かを判断する工程に移る。
【００２０】
続いて、図２を参照しながら、ステップＳ０４以降の工程について詳細に説明する。
実施例１に係る室内温度制御システム１Ａでは、室内２の温度分布のバラつきが許容の範囲内になってから、温度センサ６〜８における検出値の平均値が演算処理部１０において算出されて、その時点の室内２の温度として認定される（ステップＳ０５）。なお、先の工程において、室内２における温度分布のバラつきは十分に是正されているので、室内２の温度は、ステップＳ０５において得られる平均値に近似していると見なせる。
次に、制御部９において、ステップＳ０５において求められた室内２の温度の平均値と、予め所望に設定された第２の設定値（例えば、一定の範囲を有する数値範囲）とが比較され、室温の平均値が第２の設定値の範囲外である場合には、室内２の温度が適正な状態にないと判断されて（ステップＳ０６）、制御部９から空調設備４に対して作動信号が発信されて、空調設備４が作動する（ステップＳ０７）。
他方、室温の平均値が第２の設定値の範囲内である場合には、室内２の温度が適正な状態にあると判断されて（ステップＳ０６）、制御部９から空調設備４に対して停止信号が発信され、空調設備４が稼動している場合には空調設備４が停止し、空調設備４が停止している場合には、その状態が維持される（ステップＳ０８）。
【００２１】
上述のような、実施例１に係る室内温度制御システム１Ａによれば、温度センサ６〜８、制御部９及びファン５を備えることで、ファン５の稼動を最小限度にしながら、室内２の温度のバラつきを小さくして均一にすることができる。より具体的には、室内２の温度の温度分布のバラつきを、第１の設定値よりも小さくしておくことができる。
また、室内温度制御システム１Ａによれば、温度センサ６〜８、制御部９及び空調設備４を備えることで、室内２の温度を、空調設備４の稼動を最小限度にしながら適切な温度範囲内に維持することができる。
よって、実施例１に記載の発明によれば、室内２の温度を均一化しながら、所望の温度範囲内に維持することができ、その際の空調設備４やファン５の消費電力も最少にすることができる。
さらに、様々な寸法の制御機器３が様々は室内２に配置されているものの、このような室内温度制御システム１Ａを設けることで、センサ間の温度差を所望に低くすることができるため、室毎に別個独立に制御機器３の配置を考慮してセンサを配置する必要がなく、画一的にセンサを配置することができる。その一方で、第１の設定値及び第２の設定値を室毎に設定することで、室毎の個別の空調制御も可能である。すなわち、汎用性と専用性の両方発揮させることができるのである。
【００２２】
なお、実施例１に係る室内温度制御システム１Ａにおいては、図１に示すように、室内２の壁面２ａにエレベーションを変えて３個所に温度センサ６〜８を設けた場合を例に挙げているが、室内２において空調設備４の影響を受けやすい場所と、受けにくい場所とを任意に複数個所選定して、その全てに温度センサを設置してもよい。この場合、より効率的に室内２の温度分布のバラつきを是正することができる。
また、室内２に設けるファン５や空調設備４の吹き出し口の数を１つ以上の複数にしてもよい。この場合も、より効率的に室内２の温度分布のバラつきを是正することができる。
実施例１に係る室内温度制御システム１Ａでは、人の居住空間である室内２に対する室内温度制御システムではなく、制御機器３を収容するための室内２のための室内温度制御システムなので、室内２内においてファン５により生じる空気の流れが人に快か不快かを考慮する必要がない。
このため、室内２内に収容される制御機器３の周囲の空気を必要に応じてファン５により効率良く撹拌しつつ、空調設備４によっても適正な温度範囲に保つことができる。
よって、室内２内に収容される制御機器３の過熱によるトラブルや、不具合の発生を防止することができる。
【実施例２】
【００２３】
以下に、図３及び図４を参照しながら、実施例２に係る室内温度制御システムについて詳細に説明する。まず、図３を参照しながら実施例２に係る室内温度制御システム１Ｂの構成について説明する。
図３は本発明の実施例２に係る室内温度制御システムの概念図である。なお、図１又は図２に記載されたものと同一部分については同一符号を付し、その構成についての説明は省略する。
実施例２に係る室内温度制御システム１Ｂは、先の図１に示す室内温度制御システム１Ａとほぼ同じ構成からなるものであるが、室内２の同一エレベーションの複数個所のそれぞれに温度センサが配設され、これらの全ての温度センサが制御部９に有線又は無線により接続されるものである。
より具体的には、室内２の壁面２ａにおける天井付近の例えば２個所に温度センサ６ａ，６ｂが、また、床面２ｂ近傍の壁面２ａの例えば２個所に温度センサ７ａ，７ｂが、そして、温度センサ６ａ，７ａの中間位置及び温度センサ６ｂ，７ｂの中間位置の２個所にそれぞれ温度センサ８ａ，８ｂが設けられている。
なお、図３においては、同一のエレベーションに２個所ずつ温度センサを配設する場合を例に挙げて説明しているが、温度センサの数は２つ以上でもよい。
特に、室内２が広い場合には、室内２の広さに応じて多数の温度センサを同一エレベーションに配設してもよい。
なお、実施例２に係る室内温度制御システム１Ｂにおいては、温度センサの取り付け位置を「同一エレベーション」と記載しているが、これは略同一の概念も含むものであり、厳密に同一である必要はない。
【００２４】
次に、図３，図４を参照しながら実施例２に係る室内温度制御システム１Ｂにより室内２の温度を制御する手順について説明する。
図４は本発明の実施例２に係る室内温度制御システムの制御工程を示すフローチャートである。なお、図１乃至図３に記載されたものと同一部分については同一符号を付し、その構成についての説明は省略する。
実施例２に係る室内温度制御システム１Ｂにより室内２の温度を制御する手順は、先に述べた実施例１に係る室内温度制御システム１Ａにおける手順とほとんど同じであるので、共通する部分には同じ符号を付した。
より具体的には、実施例２に係る室内温度制御システム１Ｂは、実施例１に係る室内温度制御システム１Ａと比較して、先の図２に示すフローチャートにおけるステップＳ０１とステップＳ０２の間に、ステップＳ０９を備える点が異なっている。
実施例１に係る室内温度制御システム１Ａでは、それぞれのエレベーション毎に配設される温度センサは１つのみであったので、ステップＳ０２において、複数の温度センサ６〜８により検出された測定値の中から所望に選択される２つの測定値について，それぞれ算術差を求めて第１の設定値と比較していたが、温度センサの数が増えるにつれ温度センサから得られる検出値の集合から所望の２つの検出値を選ぶ組み合わせの数は等比級数的に増えてしまい、演算処理が煩雑になる。
このような事情に鑑み、実施例２に係る室内温度制御システム１Ｂでは、先の図２に示すような作業工程のフローチャートの、ステップＳ０１とステップＳ０２の間に、別途ステップＳ０９を設けて（図４を参照）、各エレベーションに設けられる温度センサの平均値を求めて、この平均値をそのエレベーションにおける測定値として見なしている。
なお、室内の同一エレベーションにおける壁面２ａでは、通常、空調設備４やファン５からの送風状態は似通っているので、温度センサによる測定値に大きなバラつきが生じることは稀である。従って、異なるエレベーションにおける室温の測定値を平均化する場合に比べて、同一エレベーションにおける室温の測定値を平均化する場合の方が、室温の温度分布のバラつきの検出精度が低下するおそれは低いといえる。
そして、図４に示すように、続くステップＳ０２において、各エレベーション毎の室温の平均値を比較することで、演算処理作業を簡素にしながら室内２の温度分布のバラつきが許容範囲内であるか否かを判定している。
【００２５】
上述のような実施例２に係る室内温度制御システム１Ｂによれば、先の実施例１に係る室内温度制御システム１Ａとあまり変わらない作業量及び負荷により、実施例１に係る室内温度制御システム１Ａと同様の効果を発揮させることができる。
また、実施例２に係る室内温度制御システム１Ｂによれば、温度制御を行う室内が広い場合で、かつ、多数の温度センサを備える場合でも、効率的に室内２の温度制御を行うことができる。
【００２６】
なお、図４に示すような、実施例２に係る室内温度制御システム１Ｂを用いた作業手順のフローチャートにおいて、ステップＳ０９に替えて以下に示すような工程を組み入れてもよい。
つまり、ステップＳ０９に替えて、室内２の各エレベーションに設けられる複数の温度センサにより検出された測定値の中から所望に選択される２つの測定値の差を求め，その最大値をなす２つの測定値を抽出する工程を設けてもよい。
そして、この工程の後に、図４に示すステップＳ０２において、先の工程において抽出された各エレベーションの２つの測定値の集合の中から、さらに、所望に選択される２つの測定値の差を求めて、この差（算術差）と所望に設定された第１の設定値とを比較して、算術差の値が第１の設定値を超える場合には、ファン５に対して作動信号を発信し、算術差の値が第１の設定値以下の場合にファン５に対して停止信号を発信するよう構成してもよい。
このような変形例に係る室内温度制御システム１Ｂによれば、室内２内の温度分布のバラつきをより敏感に検知してそれを是正するようにファン５を作動させることができる。
ただし、この場合、実質的にステップＳ０１の後に、ステップＳ０２を２度繰り返すことになるので、演算処理部１０への負荷はやや高くなる。しかしながら、室内２に配設される全ての温度センサの測定値の集合の中から、所望の２つの測定値を選択してその差を求める場合に比べると、演算処理部１０への負荷を確実に軽減することができる。
【産業上の利用可能性】
【００２７】
以上説明したように、本発明は、火力、水力発電プラント又は原子力プラントの稼働に必要な制御機器を収容する室内の温度を，室温の温度分布のバラつきを小さくしながら適正な温度帯に維持するとともに、その際の消費電力を少なくすることができる室内温度制御システムに関するものであり、他の化学プラント、生物プラント、実験プラント等の施設や建築物に関する分野において利用可能である。
【符号の説明】
【００２８】
１Ａ，１Ｂ…室内温度制御システム  ２…室内  ２ａ…壁面  ２ｂ…床面  ３…制御機器  ４…空調設備  ５…ファン  ６，６ａ，６ｂ…温度センサ  ７，７ａ，７ｂ…温度センサ  ８，８ａ，８ｂ…温度センサ  ９…制御部  １０…演算処理部
【図１】
2012156394.tif 000003
【図２】
2012156394.tif 000004
【図３】
2012156394.tif 000005
【図４】
2012156394.tif 000006